(57)【要約】【課題】高さを低くできて運搬効率が良く作業性も向上できる外壁パネル用積載ラックを提供する。【解決手段】外壁パネル用積載ラック１は、積み重ね本体部１１と、上記積み重ね本体部１１の上側に形成された積み上げ用嵌合凸部１２と、上記積み重ね本体部１１の下側に形成された積み上げ用嵌合凹部１３と、外壁パネル５の荷重を受けるように上記積み重ね本体部１１に設けられたパネル支持部１４と、上記外壁パネル５の面内方向移動を規制するピン状の第１規制部１５と、上記外壁パネル５の面内方向と交差する上下方向の移動を規制する棒状の第２規制部１６と、吊り部１７とを備えている。【選択図】図１
2014136592.tif 000002
【特許請求の範囲】
【請求項１】
外壁パネルを積載する外壁パネル用積載ラックにおいて、積み重ね本体部と、上記積み重ね本体部の上側と下側に形成された積み上げ用嵌合部と、上記積み重ね本体部に設けられたパネル支持部と、嵌合または接触によって上記外壁パネルの面内方向移動を規制する第１規制部と、嵌合または接触によって上記外壁パネルの面内方向と交差する上下方向の移動を規制する第２規制部と、を備えたことを特徴とする外壁パネル用積載ラック。
【請求項２】
請求項１に記載の外壁パネル用積載ラックにおいて、上記第１規制部は、上記外壁パネルのフレームに形成された孔に入るピン部であり、上記外壁パネルの対向するフレーム部の一方の側に上記ピン部が設けられ、別の第１規制部として、上記対向する他方の側のフレーム部に接触できる位置調節可能な板部材が設けられていることを特徴とする外壁パネル用積載ラック。
【請求項３】
請求項１または請求項２に記載の外壁パネル用積載ラックにおいて、上記第２規制部は、上記外壁パネルのフレームに形成された孔に抜き差しできる棒状部であり、上側または下側に位置する別の積み重ね本体部の抜けを防止する抜け防止棒状部が上記積み重ね本体部に設けられており、上記第２規制部は上記抜け防止棒状部に対して立体交差状に設けられていることを特徴とする外壁パネル用積載ラック。
【請求項４】
請求項１〜請求項３のいずれか１項に記載の外壁パネル用積載ラックにおいて、フォークリフトのフォークを受ける受け部が上記積み重ね本体部の下側に装着されることを特徴とする外壁パネル用積載ラック。
【発明の詳細な説明】
【技術分野】
【０００１】
この発明は、外壁パネルを積載するための外壁パネル用積載ラックに関する。
【背景技術】
【０００２】
外壁パネルをトラックなどで運搬する際には、破損を防止するために、外壁パネル用積載ラックを使用している。この外壁パネル用積載ラックは、特許文献１に開示されるようなパレット型のものと、ピース形状のものに大別される。
【０００３】
従来のピース形状の外壁パネル用積載ラックは、例えば、図１０に示すように、コ字形状を有しており、外壁パネル支持部１０１の下に、外壁パネル２００とラックとを固定するボルト１０３の取り付けのための嵩上げ部分１０２を有する。この嵩上げ部分１０２はボルト１０３を装着できるだけのスペースが必要となるため、概ね９０ｍｍ程度の高さになる。
【先行技術文献】
【特許文献】
【０００４】
【特許文献１】特許第０４４９５４３９号公報
【発明の概要】
【発明が解決しようとする課題】
【０００５】
しかしながら、上記従来のピース形状の外壁パネル用積載ラックは、上記嵩上げ部分１０２によって高さ寸法が高くなり、運搬効率が良くない。また、外壁パネル２００と上記ラックとの固定は、上記外壁パネル２００を平置きした状態で、外壁パネル２００の下（外壁パネルの屋内面）から行うので、作業性が悪い。
【０００６】
この発明は、上記の事情に鑑み、高さを低くできて運搬効率が良く作業性も向上できる外壁パネル用積載ラックを提供することを課題とする。
【課題を解決するための手段】
【０００７】
この発明の外壁パネル用積載ラックは、上記の課題を解決するために、外壁パネルを積載する外壁パネル用積載ラックにおいて、積み重ね本体部と、上記積み重ね本体部の上側と下側に形成された積み上げ用嵌合部と、上記積み重ね本体部に設けられたパネル支持部と、嵌合または接触によって上記外壁パネルの面内方向移動を規制する第１規制部と、嵌合または接触によって上記外壁パネルの面内方向と交差する上下方向の移動を規制する第２規制部と、を備えたことを特徴とする。
【０００８】
上記の構成であれば、上記外壁パネルの面内方向移動規制および上下方向移動規制は、上記第１規制部および上記第２規制部による嵌合または接触によって行われる。このため、上記外壁パネルの搬送時固定のボルトのための嵩上げ部分を無くせる結果、当該外壁パネル用積載ラックの高さを低くでき、外壁パネルの搬送効率を高めることができる。また、外壁パネルをラックの下から上記ボルトで留める必要はないので、作業性も向上する。
【０００９】
上記第１規制部は、上記外壁パネルのフレームに形成された孔に入るピン部であってもよい。ピン部とする場合、フレームに既設された孔を利用することが可能である。上記外壁パネルの対向するフレーム部の一方の側に上記ピン部が設けられ、別の第１規制部として、上記対向する他方の側のフレーム部に接触できる位置調節可能な板部材が設けられていてもよい。上記板部材を用いると、様々なフレーム幅の外壁パネルの積載に対応できる。
【００１０】
上記第２規制部は、上記外壁パネルのフレームに形成された孔に抜き差しできる棒状部であってもよい。棒状とする場合、フレームに既設された孔を利用することが可能である。上記第２規制部が上記外壁パネルのフレームに形成された孔から抜けるのを防止する抜け防止部を備えていてもよい。さらに、上記第２規制部は、上記積み重ね本体部を貫通して設けられていてもよい。
【００１１】
上側または下側に位置する別の積み重ね本体部の抜けを防止する抜け防止棒状部が上記積み重ね本体部に設けられており、上記第２規制部は上記抜け防止棒状部に対して立体交差状に設けられていてもよい。これによれば、上記第２規制部と上記抜け防止棒状部とを間違える誤操作を低減できる。
【００１２】
上記第２規制部は、上記パネル支持部の下側に設けられた下側パネル押さえ部から成っていてもよい。これによれば、下側の外壁パネル用積載ラックで保持されている外壁パネルを、上側の外壁パネル用積載ラックの上記下側パネル押さえ部によって押さえてその上下動を規制することができる。
【００１３】
上記パネル支持部の両端に上記積み重ね本体部が設けられ、各積み重ね本体部に少なくとも上記積み上げ用嵌合部と上記第１規制部と上記第２規制部とが設けられていてもよい。これによれば、一つのパネル支持部に複数の積み重ね本体部が設けられた構成となるので、部品数を少なくできる。
【００１４】
フォークリフトのフォークを受ける受け部が上記積み重ね本体部の下側に装着されてもよい。
【発明の効果】
【００１５】
本発明の外壁パネル用積載ラックであれば、高さを低くでき運搬効率が良く作業性も向上できる等の諸効果を奏する。
【図面の簡単な説明】
【００１６】
【図１】本発明の実施形態の外壁パネル用積載ラックを示した側面視の説明図である。
【図２】同図（Ａ）は図１の外壁パネル用積載ラックを示した背面視の説明図であり、同図（Ｂ）は図１の外壁パネル用積載ラックを示した正面視の説明図である。
【図３】図１の外壁パネル用積載ラックの積み上げ状態を示した説明図である。
【図４】図１の外壁パネル用積載ラックの積み上げ状態を示した説明図である。
【図５】図１の外壁パネル用積載ラックの積み上げ状態を示した説明図である。
【図６】本発明の他の実施形態の外壁パネル用積載ラックを示した側面視の説明図である。
【図７】同図（Ａ）は図６の外壁パネル用積載ラックを示した背面視の説明図であり、同図（Ｂ）はスナップピンを示した説明図である。
【図８】図１の外壁パネル用積載ラックで幅が異なるラックを積み上げた状態を示した説明図である。
【図９】同図（Ａ）、（Ｂ）、（Ｃ）はそれぞれ本発明の他の実施形態の外壁パネル用積載ラックを示した側面視の説明図である。
【図１０】従来の外壁パネル用積載ラックを示した側面視の説明図である。
【発明を実施するための形態】
【００１７】
以下、この発明の実施の形態を添付図面に基づいて説明する。
図１、図２（Ａ）および図２（Ｂ）に示すように、この実施形態の外壁パネル用積載ラック１は、例えば１枚の外壁パネル５についてその各縁に２個ずつ合計４個設けられる。上記外壁パネル用積載ラック１は、積み重ね本体部１１と、上記積み重ね本体部１１の上側に形成された積み上げ用嵌合凸部１２と、上記積み重ね本体部１１の下側に形成された積み上げ用嵌合凹部１３と、上記積み重ね本体部１１に設けられたパネル支持部１４と、上記外壁パネル５の面内方向移動を規制する第１規制部１５と、上記外壁パネル５の面内方向と交差する上下方向の移動を規制する第２規制部１６と、吊り部１７とを備えている。
【００１８】
上記積み重ね本体部１１は、角筒部材１１ａを備える。この角筒部材１１ａの上側には、当該角筒部材１１ａの上端面から突出するように、上記積み上げ用嵌合凸部１２が設けられている。上記角筒部材１１ａの上端面は、上記パネル支持部１４に載せられた外壁パネル５の上面よりも高い位置にある。また、上記角筒部材１１ａの下側には上記積み上げ用嵌合凹部１３が形成されている。上記角筒部材１１ａの表側面であって上記外壁パネル５に対面する側の側面には、２枚のＬ字状の補強部材１１ｂが溶接等によって固定されている。
【００１９】
上記積み上げ用嵌合凸部１２は、平行に配置された２枚の板状部材がこれらと直交して配置された他の２枚の板状部材によって固定された枠状を成すものであり、その下側部分が上記角筒部材１１ａ内に挿入されて設けられている。上記４枚の板状部材のうち、上記補強部材１１ｂが配置される側面を挟むように位置する２枚の板状部材には、ボルト挿通孔１２ａが形成されている。なお、上記積み上げ用嵌合凸部１２は単なる角筒状部材でもよい。
【００２０】
上記積み上げ用嵌合凹部１３となる箇所であって、上記補強部材１１ｂが配置される側面を挟むように位置する上記角筒部材１１ａの２側面には、ボルト挿通孔１３ａが形成されている。また、上記２側面には、上記ボルト挿通孔１３ａに一致する孔が形成された補強部材１１ｃが溶接等により固定されている。
【００２１】
上記積み上げ用嵌合凹部１３には、別の外壁パネル用積載ラック１における上記積み上げ用嵌合凸部１２を嵌合させることができる。この嵌合状態では、上記角筒部材１１ａの下端面が上記別の外壁パネル用積載ラック１における角筒部材１１ａの上端面に接する。そして、この嵌合が行われたときに上記ボルト挿通孔１２ａと上記ボルト挿通孔１３ａとが連通し、ここに連結ボルト（抜け防止棒状部）１８を挿通することで、上下に２個の外壁パネル用積載ラック１を連結することができる。上記連結ボルト１８には、２個のナット１８ａが上記角筒部材１１ａを挟むように設けられており、どちらか一方のナット１８ａは上記補強部材１１ｃに溶接されており、他方のナット１８ａを締めることで上記連結ボルト１８を上記角筒部材１１ａに固定することができる。なお、上記連結ボルト１８をチェーンなどで上記積み重ね本体部１１に繋いでおいてもよい。また、上記ナット１８ａは１個でもよい。
【００２２】
上記パネル支持部１４は、上記外壁パネル５の荷重を受ける部位であり、上記角筒部材１１ａの下部および上記Ｌ字状の補強部材１１ｂの底部に溶接等により固定されている。また、上記パネル支持部１４の中程の位置には上記Ｌ字状の補強部材１１ｂの前側端に接して受け部材１４ａが溶接等により設けられている。この受け部材１４ａは上記第２規制部１６に干渉しないように上部に切欠きを有する。また、上記受け部材１４ａの前面から上記パネル支持部１４の前側上面にかけてのＬ字状箇所にはゴム等からなるL字状の緩衝部材１４ｂが設けられている。この緩衝部材１４ｂ上に上記外壁パネル５のフレーム５ａが位置するようにしている。
【００２３】
上記第１規制部１５は、上記パネル支持部１４の前側上面で上記緩衝部材１４ｂを貫通して立設するピン部材からなる。この第１規制部１５は、上記フレーム５ａに形成されたシノ孔或いはラック専用孔に嵌まるように成っている。
【００２４】
上記第２規制部１６は、上記角筒部材１１ａを貫通して設けられた棒状部となるボルト１６ａと、上記ボルト１６ａに螺合された２個の固定用ナット１６ｂと、上記ボルト１６ａに螺合された押えナット１６ｃとを備える。上記第２規制部１６の上記ボルト１６ａは上記連結ボルト１８に対して立体交差状に設けられている。また、上記ボルト１６ａはその先端側が上記フレーム５ａに形成された既設孔（取り付け用孔）或いはラック専用孔に抜き差しできるように設けられている。上記ボルト１６ａの頭部は上記角筒部材１１ａの側面のうち、上記外壁パネル５と対面する側面と反対側の側面の方に位置する。上記２個の固定用ナット１６ｂを締めることで上記ボルト１６ａを上記角筒部材１１ａに固定することができる。また、上記押えナット１６ｃを回すことで、当該押えナット１６ｃを上記フレーム５ａに当接させることができる。なお、固定用ナット１６ｂは１個でもよい。
【００２５】
上記吊り部１７は、上記角筒部材１１ａの側面のうち、上記外壁パネル５と対面する側面と反対側の側面の上部位置に溶接等により固定される。上記吊り部１７にはフックが掛けられる貫通穴が形成されている。
【００２６】
図３に示すように、各外壁パネル５の縁側に複数の外壁パネル用積載ラック１を取り付けことができる。そして、このように外壁パネル用積載ラック１が取り付けられた外壁パネル５を積み重ねていくことができる。
【００２７】
図４および図５に示す例では、最も下に位置する外壁パネル用積載ラック１の下面に、図示しないフォークリフトのフォークを受けるための受け部３１が装着されている。この受け部３１は、最も下に位置する外壁パネル用積載ラック１における各積み重ね本体部１１の下面に装着される合計２個の土台部３１ａと、上記土台部３１ａを連結する連結部３１ｂとからなる。上記連結部３１ｂの下面に上記フォークが当たる。上記土台部３１ａの上部には、上記積み上げ用嵌合凸部１２と同様の構造部が設けられる。なお、フォークリフトを用いずにクレーンで吊り上げる場合には、上記連結部３１ｂを備えない形態を採用できる。
【００２８】
また、図４および図５に示す例では、最も上に位置する外壁パネル用積載ラック１の上面には、上部連結部材３２が装着されている。この上部連結部材３２および上記土台部３１ａは長さを変更できるように２つの部材が可動に嵌まり合う構造を有しており、所定の長さの状態でボルトとナットによって上記２つの部材を固定することができる。また、上部連結部材３２の各部材の端部下面には、上記積み上げ用嵌合凹部１３と同様の構造部が設けられる。
【００２９】
図６、図７（Ａ）および図７（Ｂ）に示す例では、上記第２規制部１６は、上記ボルト１６ａとして螺子なしボルトを用いており、このボルト１６の固定を留めピン（スナップピン等）２によって行っている。同様に、上記連結ボルト（抜け防止棒状部）１８として螺子なしボルトを用いており、この連結ボルト１８の固定を留めピン２によって行っている。なお、上記螺子なしボルトを用いる場合には外壁パネル用積載ラック１をメッキ仕上げして耐久性を向上させることが可能である。
【００３０】
図８に示す例では、上側の外壁パネル用積載ラック１と、下側の外壁パネル用積載ラック１とで、上記第２規制部１６における上記ボルト１６ａの長さおよび上記パネル支持部１４上の第１規制部材１５の位置を異ならせている。これにより、幅の異なる外壁パネル５を混在させて運搬することも可能になる。なお、図８の例では、補強部材１１ｂの長さについても、上記パネル支持部１４の長さの違いに合わせて異ならせている。
【００３１】
図９（Ａ）に示す外壁パネル用積載ラック１Ａは、外壁パネルの幅より長い長尺のパネル支持部１４Ａの両端に上記積み重ね本体部１１が設けられ、各積み重ね本体部１１に上記積み上げ用嵌合凸部１２と上記積み上げ用嵌合凹部１３と上記第１規制部１５と上記第２規制部１６等が設けられた構造を有する。上記パネル支持部１４Ａとしては、角型鋼管またはＨ型鋼などの鉄骨部材、或いは木材などを用いることができる。このような構成では重量が増大するが、部材数を少なくでき、また、積載安定性が向上する。
【００３２】
図９（Ｂ）に示す外壁パネル用積載ラック１Ｂは、上記外壁パネル５の対向するフレーム５ａの一方の側に上記ピン部からなる第１規制部１５が設けられ、別の第１規制部１５として、上記対向する他方の側のフレーム５ａに接触できる位置調節可能な板部材１５Ａが設けられている。上記板部材１５Ａは、例えば押え部となるＬ字部材の下面に上記パネル支持部１４Ａを跨ぐ断面コ字形状部を有し、このコ字形状部の対面する２つの片部の一方に設けられたボルトの先端を上記パネル支持部１４Ａに接触させることで固定状態にすることができる。ここで、他方の側に上記ピン部からなる第１規制部１５も上記板部材１５Ａも無い場合であっても、上記第２規制部１６で外壁パネル５の上下動や上下方向の回動が規制されるので特に問題ない。他方の側に上記ピン部からなる第１規制部１５が無い構成であれば、様々な幅の外壁パネル５の搬送に対応することができる。なお、他方の側に上記板部材１５Ａを設けた場合は、上記様々な幅の外壁パネル５の搬送に対応できる利点を享受しつつ、外壁パネル５を安定して保持できる。
【００３３】
図９（Ｃ）に示す外壁パネル用積載ラック１Ｃは、棒状の上記第２規制部１６を備えずに、第２規制部として上記パネル支持部１４Ａの下側に例えばゴムなどからなる下側パネル押さえ部１６Ａを備える。積み重ね状態で下側の外壁パネル５は上記下側パネル押さえ部１６Ａによって上下動が規制される。この構成では、棒状の上記第２規制部１６を装着する手間を省略できる。なお、上記板部材１５Ａを設けておくと、上記棒状の第２規制部１６が無くても、外壁パネル５を安定して保持できる。
【００３４】
上記の構成であれば、上記外壁パネル５の面内方向移動規制および上下方向移動規制は、上記第１規制部および上記第２規制部による嵌合または接触によって行われる。このため、上記外壁パネル５の搬送時固定のボルトのための嵩上げ部分を無くせる結果、当該外壁パネル用積載ラックの高さを低くでき、外壁パネル５の搬送効率を高めることができる。また、外壁パネル５をラックの下から留める必要はないので、作業性も向上する。現場で外壁パネル５を建てるときに、当該外壁パネル５を重ねた状態のまま外壁パネル用積載ラックから外壁パネル５を外すことができる。このとき、途中までの段を外して必要枚数だけを外すこともできる。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３６】
１、１Ａ、１Ｂ、１Ｃ    外壁パネル用積載ラック
２      留めピン
５      外壁パネル
５ａ    フレーム
１１    積み重ね本体部
１１ａ  角筒部材
１２    積み上げ用嵌合凸部
１３    積み上げ用嵌合凹部
１４    パネル支持部
１４Ａ  パネル支持部
１５    第１規制部
１５Ａ  板部材（第１規制部）
１６    第２規制部
１６Ａ  下側パネル押さえ部（第２規制部）
１７    吊り部
３１    受け部
３１ａ  土台部
３１ｂ  連結部
３２    上部連結部材
【図１】
2014136592.tif 000003
【図２】
2014136592.tif 000004
【図３】
2014136592.tif 000005
【図４】
2014136592.tif 000006
【図５】
2014136592.tif 000007
【図６】
2014136592.tif 000008
【図７】
2014136592.tif 000009
【図８】
2014136592.tif 000010
【図９】
2014136592.tif 000011
【図１０】
2014136592.tif 000012